(57)【要約】  本発明は、セルラー・ネットワーク・コア（３０）に接続されたセルラー・アクセス・ネットワーク（３１）を含む無線通信システム（１０）に関し、前記セルラー・アクセス・ネットワークは、協調アクセスチャネルと呼ばれる物理チャネルで端末（２０）とデータを交換するように適合されたセルラー基地局（３１０）を含み、各セルラー基地局（３１０）は地理的エリアにサービスを提供し、前記セルラー基地局によってサービスを提供されるすべての地理的エリアが地理的領域を形成する。無線通信システム（１０）は、地理的領域にサービスを提供するランダムアクセス基地局（３２０）を含み、各ランダムアクセス基地局（３２０）は、ランダム・アクセス・チャネルと呼ばれる永続的物理チャネルで端末によって発信されたデータを受信するように適合されており、前記ランダムアクセス基地局の永続的物理ランダム・アクセス・チャネルは地理的領域全体で同じ無線リソースを使用する。
2020517156.tif 000002
【特許請求の範囲】
【請求項１】
セルラー・ネットワーク・コア（３０）に接続されたセルラー・アクセス・ネットワーク（３１）を含み、前記セルラー・アクセス・ネットワークが、協調アクセスチャネルと呼ばれる物理チャネルで端末（２０）とデータを交換するように適合された、セルラー基地局と呼ばれる基地局（３１０）を含み、各セルラー基地局（３１０）が地理的エリア（Ｚｇ１）にサービスを提供し、前記セルラー基地局によってサービスを提供されるすべての前記地理的エリアが地理的領域（Ｒｇ）を形成する、無線通信システム（１０）であって、前記無線通信システム（１０）が、前記セルラー・アクセス・ネットワーク（３１）によってサービスを提供される前記地理的領域にサービスを提供する、ランダムアクセス基地局と呼ばれる基地局（３２０）を含み、各ランダムアクセス基地局（３２０）が、ランダム・アクセス・チャネルと呼ばれる永続的な、すなわち時間的に途切れずに連続して存在する物理チャネルで端末によって発信されたデータを受信するように適合されており、前記ランダムアクセス基地局の前記永続的な物理ランダム・アクセス・チャネルが前記地理的エリアの全体で１つの同じ無線リソースを使用する、無線通信システム（１０）。
【請求項２】
端末（２０）が、前記永続的な物理ランダム・アクセス・チャネルでランダム・アクセス・メッセージを発信するように構成され、前記ランダム・アクセス・メッセージが前記端末の特定の識別コードを含む、請求項１に記載の無線通信システム（１０）。
【請求項３】
前記セルラー基地局の全部または一部がランダムアクセス基地局でもある、請求項１または２に記載の無線通信システム（１０）。
【請求項４】
前記ランダムアクセス基地局の全部または一部が、前記セルラー・アクセス・ネットワークとは別の、ランダム・アクセス・ネットワークと呼ばれるアクセスネットワークを形成し、前記ランダム・アクセス・ネットワークが前記セルラー・ネットワーク・コアに接続されている、請求項１から３のいずれか一項に記載の無線通信システム（１０）。
【請求項５】
前記セルラー基地局（３１０）と前記ランダム・アクセス・ネットワークの前記ランダムアクセス基地局（３２０）とが、前記協調アクセスチャネルと前記永続的な物理ランダム・アクセス・チャネルとに異なる物理層プロトコルを使用するように構成される、請求項４に記載の無線通信システム（１０）。
【請求項６】
前記端末（２０）と前記ランダム・アクセス・ネットワーク（３２）の前記ランダムアクセス基地局（３２０）とが、超狭帯域無線信号の形でデータを交換するように構成される、請求項４または５に記載の無線通信システム（１０）。
【請求項７】
端末（２０）ごとに、前記セルラー・アクセス・ネットワーク（３１）に対する前記端末の位置を表す位置情報の項目を格納するセルラー位置サーバを含み、前記セルラー位置サーバが、前記永続的な物理ランダム・アクセス・チャネルで前記端末によって発信され、ランダムアクセス基地局（３２０）によって受信されたランダム・アクセス・メッセージに従って端末の前記位置情報を更新するように構成される、請求項１から６のいずれか一項に記載の無線通信システム（１０）。
【請求項８】
請求項１から７のいずれか一項に記載の無線通信システム（１０）の端末（２０）のモビリティを管理するための方法（５０）であって、前記無線通信システムが、前記セルラー・アクセス・ネットワークに対する前記端末の位置を表す位置情報の項目を格納するセルラー位置サーバを含み、前記方法（５０）が、
前記端末（２０）による、前記永続的な物理ランダム・アクセス・チャネルでのランダム・アクセス・メッセージの発信のステップ（５１）と、
少なくとも１つのランダムアクセス基地局（３２０）による、前記端末によって発信された前記ランダム・アクセス・メッセージの受信のステップ（５２）と、
前記端末（２０）から受信された前記ランダム・アクセス・メッセージに従った前記端末（２０）の更新された位置情報の項目の決定のステップ（５３）と、
前記セルラー位置サーバによる、前記更新された位置情報に従った前記セルラー位置サーバに格納された前記端末（２０）の前記位置情報の更新のステップ（５４）と
を含む、方法（５０）。
【請求項９】
前記端末（２０）の前記更新された位置情報が、前記ランダム・アクセス・メッセージを受信した少なくとも１つのランダムアクセス基地局（３２０）の位置情報の項目に従って決定される、請求項８に記載の方法（５０）。
【請求項１０】
前記セルラー位置サーバによる、前記更新された位置情報を、前記セルラー位置サーバによって格納された前記位置情報と比較することによる前記端末（２０）の事前定義されたモビリティ基準の評価のステップ（５５）と、前記モビリティ基準が検証されたとき、
前記セルラー・アクセス・ネットワークに対する前記端末（２０）の現在位置に使用されるべき前記セルラー・アクセス・ネットワーク（３１）にアクセスするためのパラメータの、前記端末（２０）に送信される、発信のステップ（５６）と、
前記端末（２０）による、受信された前記セルラー・アクセス・ネットワークにアクセスするための前記パラメータの格納のステップ（５７）と
を含む、請求項８または９に記載の方法（５０）。
【請求項１１】
前記端末（２０）を前記セルラー・アクセス・ネットワークと接続する事前ステップと、前記端末（２０）のセルラー通信モジュール（２１）を待機状態にする事前ステップとを含み、前記ランダム・アクセス・メッセージが、前記セルラー通信モジュールが待機状態にあり、前記端末（２０）によって評価された、事前定義された発信基準が検証されたときに発信される、請求項８から１０のいずれか一項に記載の方法（５０）。
【請求項１２】
前記ランダム・アクセス・メッセージが前記端末の特定の識別コードを含む、請求項８から１１のいずれか一項に記載の方法（５０）。
【発明の詳細な説明】
【技術分野】
【０００１】
本発明は、無線通信システムの分野に関し、より具体的には、マシンツーマシン（Ｍ２Ｍ）タイプまたはモノのインターネット（ＩｏＴ）タイプの用途へのセルラー・アクセス・ネットワークの使用に関する。
【背景技術】
【０００２】
例えばＩｏＴの状況では、日常のありふれたオブジェクトが各々通信オブジェクトになるように設計されており、このために、無線通信システムの無線アクセスネットワークに送信されるデータを発信するように適合された端末を装備している。
【０００３】
そのような状況では、低コストである（したがって複雑度が低い）と同時に、電力エネルギー消費量も低い解決策があることが重要である。これにより、例えば、多くの日常のありふれたオブジェクトに、その生産コストに大きな影響を与えることなく、特に、それらのオブジェクトが電池式である場合にその自律性にさほど影響を及ぼすことなく通信させることが可能になる。
【０００４】
今日、ＧＰＲＳ、ＥＤＧＥ、ＵＭＴＳ、ＨＳＰＡ、ＨＳＰＡ＋、ＬＴＥ、ＣＤＭＡ２０００無線通信システムなどといった、「セルラー」システムと呼ばれる多くの無線通信システムが知られており、これらは現在、主に人対人（Ｈ２Ｈ）タイプの用途向けに実施されている。そのようなセルラー無線通信システムには、すでに大規模に展開されていることに加えて、非常に高くなり得る可変フローを提供し、低レベルの干渉を保証する予約周波数帯域を使用するという利点があるので、それらのシステムをＭ２Ｍおよび／またはＩｏＴタイプの用途にも再利用しようとするのは当然である。
【０００５】
従来、セルラー無線通信システムは、複数のセルラー基地局を含むセルラー・アクセス・ネットワークを含む。各セルラー基地局は、「セル」という名前でも知られる所定の地理的エリアにサービスを提供し、セルラー基地局によってサービスを提供されるすべての地理的エリアのグループが地理的領域を形成する。セルラー・アクセス・ネットワークは無線広域ネットワーク（またはＷＷＡＮ）タイプのものであり、すなわち、サービス対象の地理的領域は、典型的には１００００ｋｍ2を超える、さらには５００００ｋｍ2さえも超える有効エリアのものである。
【０００６】
そのようなセルラー無線通信システムでは、端末とセルラー・アクセス・ネットワークとの間のデータ交換が、協調アクセスチャネルと呼ばれるアクセスを用いる物理チャネルで行われ、すなわち、いつ、どの無線リソースで、端末が前記セルラー・アクセス・ネットワークとデータを交換できるかを決定するのはセルラー・アクセス・ネットワークである。したがって、アップロードリンクおよび／またはダウンロードリンクで端末がアクセスネットワークとデータを交換するための一般的な手順は、セルラー・アクセス・ネットワークに事前の無線リソース要求を行い、セルラー・アクセス・ネットワークがそれに応答して使用されるべき無線リソースを指示することからなる。データ交換の最後に、無線リソースは他の端末が使用できるように解放される。
【０００７】
各端末がセルラー・アクセス・ネットワークに、例えば、前記端末が発信呼を行おうとする場合に、アップロードリンクでデータを発信することが求められていると指示することができるようにするために、各セルラー基地局は物理ランダム・アクセス・チャネル（またはＰＲＡＣＨ）と呼ばれる物理アクセスチャネルを実施する。物理ランダム・アクセス・チャネルは、所定の時間間隔にわたって予約される、任意の端末が、端末をセルラー基地局に指示するためのランダム・アクセス・メッセージを発信するために使用できる無線リソースに対応する。
【０００８】
ランダム・アクセス・メッセージを発信する前に、端末は、前記端末が前記セルラー基地局と時間的に同期されることを可能にし、またセルラー基地局の物理ランダム・アクセス・チャネルの様々なパラメータ（時間間隔の時間的位置およびランダム・アクセス・メッセージに予約された無線リソース）を知ることも可能にするセルラー基地局の物理拡散チャネルをリッスンしなければならない。ランダム・アクセス・メッセージを発信した後、続いて、特に前記端末を識別することを目的として、無線リソースを予約する前にセルラー基地局と前記端末との間で複数のメッセージの交換が行われる。
【０００９】
端末が着信呼を受信することを可能にするために、各端末は、原則として、前記端末が位置する地理的エリア内のセルラー基地局に接続されなければならない。セルラー無線通信システムは、端末ごとに、例えば、前記端末が接続された最後のセルラー基地局の識別子の形でセルラー・アクセス・ネットワークに対する前記端末の位置を表す位置情報を格納するセルラー位置サーバを含む。端末に着信呼が送信される場合、位置情報により、「ページング」チャネルと呼ばれる物理チャネルで、この着信呼を前記端末に通知するためにどのセルラー基地局が使用されなければならないかを知ることが可能になる。着信呼が通知された後、端末は上述したステップを展開して、この着信呼に応答できるように無線リソースを予約する。
【００１０】
端末のモビリティは様々な手順によって管理され、そのうちの主要な手順は、「セル再選択」および「位置更新」という名前で知られている。
【００１１】
これらの様々な手順を実施するために、端末は、発信呼の場合と同様に、すなわち、物理ランダム・アクセス・チャネルでランダム・アクセス・メッセージを発信することによって、セルラー・アクセス・ネットワークに定期的に指示されなければならない。これらの手順は一般に、例えば、セルラー・アクセス・ネットワークをリッスンし、端末が今や、それが接続されているセルラー基地局とは異なるセルラー基地局により近いと判断することによって、端末が移動したことを検出したときに開始される。
【００１２】
上述した様々な手順が完全によく理解され、特に、非常に短い遅延で着信呼を確立することを必要とするＨ２Ｈタイプの用途に適合された場合、これらの手順は、Ｍ２Ｍタイプの用途にはあまり適さないことが判明している。実際、これらの手順は、（セルラー・アクセス・ネットワークを定期的にリッスンする、無線リソースを予約するなどのために）高い電力消費を必要とし、その電力消費はＭ２Ｍタイプの用途には高すぎることが判明している。
【００１３】
現在のセルラー無線通信システム、特にロング・ターム・エボリューション（ＬＴＥ）システムを適合させるために、様々な手法が検討されている。
【００１４】
第１の手法は、拡張不連続受信（ｅＤＲＸ）という名前で知られ、端末がセルラー・アクセス・ネットワークに、所定の期間で物理「ページング」チャネルのみをリッスンすると指示することを可能にする。そのような構成により、物理「ページング」チャネルをリッスンすることに関連した電力消費を削減することが可能になるが、着信呼を確立するための遅延が大幅に増加する。
【００１５】
第２の手法は、電力スリープモード（ＰＳＭ）という名前で知られ、セルラー・アクセス・ネットワークの側でアクティブな端末の接続を保存している間に、前記端末がかなりの期間にわたって待機モードに入ることを可能にすることからなる。よって、端末が待機モードを出るときに、端末の接続は保存されているので、端末は必然的にセルラー・アクセス・ネットワークに再度接続されてはならない。そのような構成により端末の電力消費を削減することが可能になり、よって端末は長時間にわたって待機モードに留まることができるが、そのような構成は、端末が別のセルラー基地局によってサービスを提供される地理的エリアに移動した場合に接続がアクティブのままなので、端末のモビリティを管理する際に問題を生じる。
【発明の概要】
【発明が解決しようとする課題】
【００１６】
本発明は、先行技術の解決策の限界の全部または一部、特に上述した限界を、セルラー・アクセス・ネットワークを含む無線通信システムにおいて指示される端末によって実行されるべき操作の数量を減らすことを可能にする解決策を提案することによって克服することを目的とする。
【００１７】
さらに、本発明はまた、少なくともいくつかの実施方法において、セルラー・アクセス・ネットワークに対する端末のモビリティを管理するために交換すべきメッセージの数量を減らすことを可能にする解決策を提案することも目的とする。
【課題を解決するための手段】
【００１８】
このために、第１の態様によれば、本発明は、セルラー・ネットワーク・コアに接続されたセルラー・アクセス・ネットワークを含む無線通信システムに関し、前記セルラー・アクセス・ネットワークは物理協調アクセスチャネルで端末とデータを交換するように適合されたセルラー基地局を含み、各セルラー基地局は地理的エリアにサービスを提供し、前記セルラー基地局によってサービスを提供されるすべての地理的エリアが前記セルラー・アクセス・ネットワークによってサービスを提供される地理的領域を形成する。さらに、本無線通信システムは、セルラー・アクセス・ネットワークによってサービスを提供される地理的領域にサービスを提供する、ランダムアクセス基地局と呼ばれる基地局を含み、各ランダムアクセス基地局は、永続的物理ランダム・アクセス・チャネルで端末によって発信されたデータを受信するように適合されており、永続的物理ランダム・アクセス・チャネルは地理的領域全体で１つの同じ無線リソースを使用する。
【００１９】
よって、物理ランダム・アクセス・チャネルが限られた期間の時間間隔に制限される先行技術のセルラー無線通信システムとは対照的に、物理ランダム・アクセス・チャネルは永続的であり、すなわち、途切れずに連続して存在する。したがって、前記永続的物理ランダム・アクセス・チャネルでいつでも発信することができるので、ランダム・アクセス・メッセージを発信するための時間同期は不要である。
【００２０】
さらに、異なるセルラー基地局がそのそれぞれの物理ランダム・アクセス・チャネルに異なる無線リソースを使用するか、または少なくとも、使用されるべき無線リソースが、端末が位置する地理的エリアに依存する現在のセルラー無線通信システムとは対照的に、すべての永続的物理ランダム・アクセス・チャネルが地理的領域内で同じ無線リソース（周波数帯域またはサブバンド、拡散コードおよび／またはスクランブルコードなど）を使用する。したがって、永続的物理ランダム・アクセス・チャネルによって使用される無線リソースを端末が事前に格納することができる。この無線リソースが一度格納されると、この無線リソースは地理的領域全体で有効なので、端末がランダム・アクセス・メッセージを発信する前に物理拡散チャネルをリッスンする必要はなくなる。
【００２１】
ゆえに、そのような構成は、端末が、地理的領域内のその位置がどうであれ、常に、最初に知られる無線リソースを使用してランダム・アクセス・メッセージを自発的に発信できる限りにおいて、特に有利である。言い換えれば、ランダムアクセス基地局は、時間的（永続的）にも空間的（地理的領域全体で利用可能）にも全体に及ぶ物理ランダム・アクセス・チャネルを形成する。
【００２２】
特定の実施形態では、無線通信システムは、個別に、または任意の技術的に可能な組み合わせに従って、以下の特徴のうちの１つまたは複数をさらに含むことができる。
【００２３】
特定の実施形態では、端末は、永続的物理ランダム・アクセス・チャネルでランダム・アクセス・メッセージを発信するように構成され、前記ランダム・アクセス・メッセージは、前記端末の特定の識別コードを含む。
【００２４】
よって、ランダム・アクセス・メッセージ、すなわち端末をランダムアクセス基地局に指示するためのメッセージは、あいまいさなく、前記ランダム・アクセス・メッセージを発信した端末を識別することを可能にし、すなわち、その端末を他のすべての端末と区別することを可能にする。
【００２５】
これに反して、先行技術のセルラー無線通信システムでは、ランダム・アクセス・メッセージは、あいまいさなく、ランダム・アクセス・メッセージを発信した端末を識別することを可能とせず、前記端末の明確な識別に達するために、アップロードリンクとダウンロードリンクの両方で複数のメッセージが交換されなければならない。これは特に、永続的ではない先行技術の物理ランダム・アクセス・チャネルでは、複数の端末が前記物理ランダム・アクセス・チャネルに対応する時間間隔の間にランダム・アクセス・メッセージを発信することを可能にするには、ランダム・アクセス・メッセージに含まれる情報の量が非常に限られている、という事実によって説明される。
【００２６】
本発明の主題である無線通信システムでは、物理ランダム・アクセス・チャネルが永続的であるので、ランダム・アクセス・メッセージに含まれる情報の量をより大きくすることができ、１つの単一メッセージによって前記端末を明確に識別することを可能にすることができ、前記端末を認証することさえも可能にすることができる。「１つの単一メッセージ」とは、ダウンロードリンクでメッセージを交換する必要なく、端末を明確に識別する（必要に応じて認証する）ことができることを意味する。しかしながら、ランダム・アクセス・メッセージからの２つのサブメッセージの端末による発信の間にダウンロードリンクで発信されるメッセージがなくなるとすぐに、ランダム・アクセス・メッセージを不連続的に発信されるサブメッセージに分割することができる。
【００２７】
特定の実施形態では、各セルラー基地局は、永続的物理ランダム・アクセス・チャネルの無線リソースとは異なる無線リソースを使用する一時的物理ランダム・アクセス・チャネルを含み、前記セルラー基地局の一時的物理ランダム・アクセス・チャネルは異なる無線リソースを使用する。
【００２８】
言い換えると、永続的物理ランダム・アクセス・チャネルは、時間的、空間的に全体に及び、限られた期間にわたって、端末が位置する地理的エリアに依存する異なる無線リソースを使用する、先行技術による物理ランダム・アクセス・チャネルを補完することによって実施することができる。
【００２９】
特定の実施形態では、セルラー基地局の全部または一部がランダムアクセス基地局でもある。
【００３０】
特定の実施形態では、ランダムアクセス基地局の全部または一部が、セルラー・アクセス・ネットワークとは別の、ランダム・アクセス・ネットワークと呼ばれるアクセスネットワークを形成し、前記ランダム・アクセス・ネットワークはセルラー・ネットワーク・コアに接続される。
【００３１】
特定の実施形態では、セルラー基地局とランダム・アクセス・ネットワークのランダムアクセス基地局とは、協調物理アクセスチャネルと永続的物理ランダム・アクセス・チャネルとに異なる物理層プロトコルを使用するように構成される。
【００３２】
特定の実施形態では、端末とランダム・アクセス・ネットワークのランダムアクセス基地局とは、超狭帯域無線信号の形でデータを交換するように構成される。
【００３３】
特定の実施形態では、セルラー無線通信システムは、端末ごとに、セルラー・アクセス・ネットワークに対する前記端末の位置を表す位置情報の項目を格納するセルラー位置サーバを含み、前記セルラー位置サーバは、永続的物理ランダム・アクセス・チャネルで前記端末によって発信され、ランダムアクセス基地局によって受信されたランダム・アクセス・メッセージに従って端末の位置情報を更新するように構成される。
【００３４】
第２の態様によれば、本発明は、本発明の実施形態のいずれか１つによる無線通信システムの端末のモビリティを管理するための方法に関し、前記システムは、セルラー・アクセス・ネットワークに対する前記端末の位置を表す位置情報の項目を格納するセルラー位置サーバを含む。モビリティを管理するための方法は、
端末による、永続的物理ランダム・アクセス・チャネルでのランダム・アクセス・メッセージの発信と、
少なくとも１つのランダムアクセス基地局による、前記端末によって発信されたランダム・アクセス・メッセージの受信と、
前記端末から受信されたランダム・アクセス・メッセージに従った前記端末からの更新された位置情報の項目の決定と、
セルラー位置サーバによる、更新された位置情報に従った前記セルラー位置サーバに格納された端末の位置情報の更新と
を含む。
【００３５】
そのような構成は、端末がセルラー・アクセス・ネットワークをリッスンする必要なく端末の位置情報を更新できるという点で特に有利である。
【００３６】
特定の実施方法では、モビリティを管理するための方法は、個別に、または任意の技術的に可能な組み合わせに従って、以下の特徴のうちの１つまたは複数をさらに含むことができる。
【００３７】
特定の実施方法では、端末の更新された位置情報は、前記ランダム・アクセス・メッセージを受信した少なくとも１つのランダムアクセス基地局の位置情報の項目に従って決定される。
【００３８】
特定の実施方法では、モビリティを管理するための方法は、セルラー位置サーバによる、更新された位置情報を、前記セルラー位置サーバによって格納された位置情報と比較することによる端末の事前定義されたモビリティ基準の評価と、モビリティ基準が検証されたとき、
セルラー・アクセス・ネットワークに対する端末の現在位置に使用されるべきセルラー・アクセス・ネットワークへのアクセスパラメータの、端末に送信される、発信と、
端末による、受信された前記セルラー・アクセス・ネットワークのアクセスパラメータの格納と
を含む。
【００３９】
特定の実施方法では、モビリティを管理するための方法は、端末をセルラー・アクセス・ネットワークと接続する事前ステップと、前記端末のセルラー通信モジュールを待機状態にする事前ステップとを含み、ランダム・アクセス・メッセージは、前記セルラー通信モジュールが待機状態にあり、端末によって評価された、事前定義された発信基準が検証されたときに発信される。
【００４０】
特定の実施方法では、ランダム・アクセス・メッセージは、前記端末の特定の識別コードを含む。
【００４１】
本発明は、一切限定的ではない例として与えられる、次のものを表す図を参照してなされる以下の説明を読めば最もよく理解されるであろう。
【図面の簡単な説明】
【００４２】
【図１】無線通信システムの好ましい実施形態の概略図である。
【図２】セルラー・アクセス・ネットワークのセルラー基地局とランダム・アクセス・ネットワークのランダムアクセス基地局とを地理的に分布させた一例の概略図である。
【図３】無線通信システムにおいて端末のモビリティを管理するための方法を実施する一例の主要なステップを示す図である。
【図４】モビリティを管理するための方法を実施する好ましい方法の主要なステップを示す図である。
【００４３】
これらの図において、相互に同一の参照符号は、同一のまたは類似した要素を指している。明確にするために、特に明記されない限り、表されている要素は縮尺どおりではない。
【発明を実施するための形態】
【００４４】
図１に無線通信システム１０の好ましい実施形態を概略的に示す。図１で示されるように、無線通信システム１０は、セルラー・ネットワーク・コア３０に接続されたセルラー・アクセス・ネットワーク３１を含む。
【００４５】
セルラー・アクセス・ネットワーク３１は、セルラー基地局と呼ばれる複数の基地局３１０を含む。各セルラー基地局３１０は、「セル」という名前でも知られる所定の地理的エリアＺｇ１にサービスを提供し、セルラー基地局３１０によってサービスを提供されるすべての地理的エリアＺｇ１のグループが地理的領域Ｒｇを形成する。
【００４６】
上述したように、セルラー・アクセス・ネットワーク３１は無線広域ネットワーク（ＷＷＡＮ）タイプのものであり、すなわち、サービス対象の地理的領域Ｒｇは、典型的には１００００ｋｍ2を超える、さらには５００００ｋｍ2さえも超える有効エリアのものである。
【００４７】
セルラー基地局３１０は、端末２０とデータを交換するように適合されている。上述したように、端末２０とセルラー・アクセス・ネットワーク３１との間のデータ交換は、協調物理ランダム・アクセス・チャネルと呼ばれる物理ランダム・アクセス・チャネルで行われ、すなわち、いつ、どの無線リソースで、端末２０が前記セルラー・アクセス・ネットワーク３１とデータを交換することができるかを決定するのはセルラー・アクセス・ネットワーク３１および／またはセルラー・ネットワーク・コア３０である。
【００４８】
セルラー・アクセス・ネットワーク３１は、例えば、ＧＰＲＳ、ＥＤＧＥ、ＵＭＴＳ、ＨＳＰＡ、ＨＳＰＡ＋、ＬＴＥ、ＣＤＭＡ２０００アクセスネットワークなどである。一般に、無線通信システム１０では、上述した、すなわち、サービス対象の地理的領域が地理的エリア（セル）に分割され、主に協調アクセス物理チャネルでデータを交換する無線広域ネットワークタイプのセルラー・アクセス・ネットワークの一般原理に対応し次第、任意のタイプのセルラー・アクセス・ネットワーク３１を使用することができる。これには、特に、現在のすべてのセルラー・アクセス・ネットワークだけでなく、その将来の進化型も含まれる。
【００４９】
以下の説明では、非限定的に、セルラー・アクセス・ネットワーク３１がロング・ターム・エボリューション（ＬＴＥ）タイプのものである場合について検討する。そのような状況において、セルラー・アクセス・ネットワーク３１は、Ｅ−ＵＴＲＡＮ（Ｅｖｏｌｖｅｄ−Ｕｎｉｖｅｒｓａｌ  Ｔｅｒｒｅｓｔｒｉａｌ  Ａｃｃｅｓｓ  Ｎｅｔｗｏｒｋ）という名前で、セルラー基地局３１０は、ＥｎｏｄｅＢ（Ｅｖｏｌｖｅｄ  Ｎｏｄｅ  Ｂ）という名前で、セルラー・ネットワーク・コア３０は、ＥＰＣ（Ｅｖｏｌｖｅｄ  Ｐａｃｋｅｔ  Ｃｏｒｅ）という名前で知られている。
【００５０】
無線通信システム１０はまた、好ましい実施形態では、例えばセルラー・ネットワーク・コア３０に属するセルラー位置サーバ（図には表されていない）も含む。セルラー位置サーバは、モビリティ管理エンティティ（ＭＭＥ）という名前で知られ、ＬＴＥアクセスネットワークの場合、端末２０ごとに、セルラー・アクセス・ネットワーク３１に対する前記端末の位置を表す位置情報の項目を格納する。例えば、端末２０の位置情報の項目は、前記端末２０が接続された最後のセルラー基地局３１０の識別子に対応する。
【００５１】
図１に示されるように、無線通信システム１０は、以下で「ランダム・アクセス・ネットワーク３２」と呼ばれる、セルラー・アクセス・ネットワーク３１とは別の、セルラー・ネットワーク・コア３０に接続された第２の無線アクセスネットワークも含む。
【００５２】
ランダム・アクセス・ネットワーク３２は、セルラー基地局３１０と同じ地理的領域Ｒｇにサービスを提供する、ランダムアクセス基地局と呼ばれる基地局３２０を含む。
【００５３】
図２に、地理的領域Ｒｇにおけるセルラー基地局３１０およびランダムアクセス基地局３２０の地理的分布の例を概略的に表す。図２に示されるように、各ランダムアクセス基地局３２０は所定の地理的エリアＺｇ２にサービスを提供し、すべての地理的エリアＺｇ２のグループが地理的領域Ｒｇをカバーする。
【００５４】
各ランダムアクセス基地局３２０は、物理ランダム・アクセス・チャネルと呼ばれる永続的物理チャネルで端末２０によって発信されたデータを受信するように適合されている。言い換えれば、永続的物理ランダム・アクセス・チャネルは、特に端末２０によって発信されたランダム・アクセス・メッセージを、時間的に途切れずに受信することができる。
【００５５】
さらに、前記ランダムアクセス基地局３２０の永続的物理ランダム・アクセス・チャネルは、地理的領域全体で１つの同じ無線リソースを使用する。「無線リソース」とは、例えば、所定の周波数帯域または所定の周波数サブバンド（例えば、直交周波数分割多元接続（ＯＦＤＭＡ）信号の搬送波）、拡散コードおよび／またはスクランブルコードなどを意味する。
【００５６】
よって、ランダム・アクセス・ネットワーク３２のランダムアクセス基地局３２０は、永続的であり途切れずに利用できるので時間的にも、また同じ無線リソースが地理的領域全体で使用される（使用されるべき無線リソースは端末２０が位置する地理的エリアＺｇ１、Ｚｇ２から独立している）ので空間的にも全体に及ぶ物理ランダム・アクセス・チャネルを形成する。ゆえに、各端末２０は、地理的領域Ｒｇ内のその位置がどうであれ、常に、最初に知られるこの無線リソースを使用してランダム・アクセス・メッセージを自発的に発信することができる。
【００５７】
「ランダムアクセス」とは、すべての永続的物理ランダム・アクセス・チャネルによって使用される無線リソースへのアクセスがランダム・アクセス・ネットワーク３２によって調整されないことを意味することに留意されたい。むしろ、いつ永続的物理ランダム・アクセス・チャネルでランダム・アクセス・メッセージを発信するかを、前記ランダム・アクセス・ネットワーク３２からの事前の許可なくそれ自体で決定するのは端末２０である。例えば、永続的物理ランダム・アクセス・チャネルにアクセスするための方法は、ＡＬＯＨＡまたは搬送波感知多重アクセス（ＣＳＭＡ）タイプのものなどである。
【００５８】
前記物理ランダム・アクセス・チャネルが永続的である場合、前記永続的物理ランダム・アクセス・チャネル上の端末２０の多重化は主に時間的である。ただし、時間的（統計的）多重化を別のタイプの多重化に結合することを排除するものはない。
【００５９】
例えば、すべての永続的物理ランダム・アクセス・チャネルによって使用される無線リソースを、端末２０によって発信されたランダム・アクセス・メッセージの周波数幅δＦよりもずっと大きい（少なくとも１０倍の）幅ΔＦ（例えば、約数百キロヘルツ）の所定の周波数帯域とすることができる。そのような場合、端末２０が、ランダム・アクセス・メッセージを発信するために、周波数帯域内の幅δＦの特定の周波数サブバンドをさらにランダムに選択することが可能である。必要に応じて、端末２０は、幅ΔＦの前記周波数帯域内で、周波数でも（統計的に）多重化される。
【００６０】
別の例によれば、すべての永続的物理ランダム・アクセス・チャネルが、異なる拡散コードまたはスクランブルコードの１つの同じ所定のセットを使用することができる。そのような場合、端末２０が、ランダム・アクセス・メッセージを発信するために、拡散コードまたはスクランブルコードの所定のセットの中から、拡散コードまたはスクランブルコードをさらにランダムに選択することが可能である。必要に応じて、端末２０は、拡散コードまたはスクランブルコードの所定のセットの中からのコードでも（統計的に）多重化される。
【００６１】
現在のセルラー・アクセス・ネットワークには一般に物理ランダム・アクセス・チャネルがすでにあることにさらに留意されたい。例えば、ＬＴＥアクセスネットワークでは、各セルラー基地局３１０は物理ランダム・アクセス・チャネル（ＰＲＡＣＨ）を実施する。しかしながら、ランダム・アクセス・ネットワーク３２の永続的物理ランダム・アクセス・チャネルとは対照的に、物理ランダム・アクセス・チャネルＰＲＡＣＨは一時的であり（すなわち、非永続的なので、セルラー基地局３１０との端末の時間的同期を必要とする）、異なる無線リソースを使用する、すなわち、使用されるべき無線リソースは、端末２０が位置する地理的エリアＺｇ１内のセルラー基地局３１０に依存する。したがって、セルラー・アクセス・ネットワーク３１の物理ランダム・アクセス・チャネルＰＲＡＣＨで発信するために、端末２０は、セルラー基地局３１０によって発信された物理拡散チャネルを必ず事前にリッスンして、セルラー基地局３１０と時間的に同期され、前記物理ランダム・アクセス・チャネルＰＲＡＣＨのパラメータ（時間間隔の時間的位置およびランダム・アクセス・メッセージに予約された無線リソース）を知らなければならない。
【００６２】
ランダムアクセス基地局３２０がセルラー・アクセス・ネットワーク３１とは別のランダム・アクセス・ネットワーク３２に属する図１に示される例では、セルラー基地局３１０とランダムアクセス基地局３２０とは、好ましくは、異なる物理層プロトコルを使用するように構成され、各端末２０は、
セルラー基地局３１０とデータを交換するように適合されたセルラー通信モジュール２１と、
ランダムアクセス基地局３２０とデータを交換するように適合されたランダムアクセス通信モジュール２２
という２つの別々の通信モジュールを含む。
【００６３】
例えば、セルラー・アクセス・ネットワーク３１はＬＴＥアクセスネットワークであり、ランダム・アクセス・ネットワーク３２は超狭帯域アクセスネットワークである。「超狭帯域」またはＵＮＢ）とは、端末２０とランダム・アクセス・ネットワーク３２との間で交換される信号（ランダム・アクセス・メッセージを含む）の瞬時周波数スペクトルが、２キロヘルツ未満、さらには１キロヘルツ未満でさえもの周波数幅のものである。そのような信号の発信は、電力消費を大幅に削減して実現することができる。さらに、そのような信号を用いて、数百キロヘルツの幅ΔＦの周波数帯域で多数の端末２０の周波数多重化（統計的）を実現することが可能である。
【００６４】
したがって、図１に示される例では、ランダム・アクセス・ネットワーク３２（例えば、ＵＮＢ）は、セルラー・アクセス・ネットワーク３１（例えば、ＬＴＥ）を補完してそこに、時間的、空間的に全体に及ぶ物理ランダム・アクセス・チャネルを追加する。
【００６５】
ランダムアクセス基地局３２０によって提供される永続的物理ランダム・アクセス・チャネルは多数の用途を有し、特に、セルラー・アクセス・ネットワーク３１に対する端末２０のモビリティを管理するために、または前記セルラー・アクセス・ネットワーク３１および／またはセルラー・ネットワーク・コア３０を調べて、端末２０が、データを受信するためにセルラー・アクセス・ネットワーク３１と協調した、物理アクセスチャネルを確立しなければならないかどうかを知るためなどにも使用することができる。
【００６６】
図３に、上述したように無線通信システム１０において端末２０のモビリティを管理するための方法５０の主要なステップを概略的に表す。図３に示されるように、モビリティを管理するための方法５０は以下のステップを含む。
５１  端末２０による、永続的物理ランダム・アクセス・チャネルでのランダム・アクセス・メッセージの発信のステップ、
５２  少なくとも１つのランダムアクセス基地局３２０による、前記端末２０によって発信されたランダム・アクセス・メッセージの受信のステップ、
５３  前記端末２０から受信された前記ランダム・アクセス・メッセージに従った前記端末２０の更新された位置情報の項目の決定のステップ、
５４  セルラー位置サーバによる、更新された位置情報に従った前記セルラー位置サーバに格納された端末２０の位置情報の更新のステップ。
【００６７】
よって、端末２０によって発信され、少なくとも１つのランダムアクセス基地局３２０によって受信されたランダム・アクセス・メッセージは、セルラー位置サーバに格納された端末２０の位置情報を更新するために使用される。
【００６８】
例えば、端末２０が、例えば全地球測位システム（ＧＰＳ）タイプのジオロケーションモジュールを装備するか、またはジオロケーションモジュールに接続されている場合には、よって端末２０はランダム・アクセス・メッセージに、ジオロケーションモジュールによって決定されたなどのその位置を直接含めることができる。前記ランダム・アクセス・メッセージがランダムアクセス基地局３２０によって受信されると、ランダム・アクセス・メッセージから前記位置を抽出して前記端末２０の更新された位置情報を決定することができる。
【００６９】
別の例によれば、前記ランダム・アクセス・メッセージを受信した少なくとも１つのランダムアクセス基地局３２０の位置情報の項目に従って、端末２０の更新された位置情報を決定することが可能である。
【００７０】
実際、ランダムアクセス基地局３２０の位置情報は、前記ランダムアクセス基地局３２０の位置を表し、ステップ５３において、ランダム・アクセス・メッセージを受信した前記ランダムアクセス基地局３２０の近くに位置するセルラー基地局３１０を推定することを可能にする。このセルラー基地局３１０の識別子が、例えば、前記端末２０の更新された位置情報として使用される。
【００７１】
より一般的には、ランダムアクセス基地局３２０の位置を表す任意の位置情報を使用して、端末２０の更新された位置情報を決定することができる。例えば、各ランダムアクセス基地局３２０において、関連表、前記ランダムアクセス基地局３２０の近くに位置する１つまたは複数のセルラー基地局３１０、を格納することが可能である。そのような場合、ランダムアクセス基地局３２０の位置情報は、このランダムアクセス基地局の識別子に直接対応する。
【００７２】
また、端末２０によって発信されたランダム・アクセス・メッセージを複数のランダムアクセス基地局３２０が受信できることにも留意されたい。この場合、ステップ５３において、例えば、ランダム・アクセス・メッセージを受信した前記ランダムアクセス基地局３２０のうちの少なくとも２つの地理的エリアの交点に位置するセルラー基地局３１０を識別するために、複数のランダムアクセス基地局３２０の位置情報を使用することが可能である。あるいは、ランダム・アクセス・メッセージを受信した複数のランダムアクセス基地局３２０の位置情報と、これらのランダムアクセス基地局３２０の各々が前記ランダム・アクセス・メッセージを受信するためのパラメータ（受信電力レベル、受信時刻、受信の頻度など）とを使用して、従来の方法で前記端末２０の位置を推定することも可能である。よって、前記端末２０の推定位置は、前記端末２０の更新された位置情報を決定するために使用される。
【００７３】
好ましい実施形態では、永続的物理ランダム・アクセス・チャネルで端末２０によって発信されたランダム・アクセス・メッセージは、前記端末２０の特定の識別コード、すなわち、前記端末２０を他のすべての端末２０と区別することを可能にする一意の識別コードを含む。ゆえに、端末２０を、単一のメッセージ、この場合は、端末２０がランダムアクセス手順を開始するためのランダム・アクセス・メッセージによって識別することができる。
【００７４】
ランダム・アクセス・メッセージは、ランダム・アクセス・ネットワーク３２が前記端末２０を認証することを可能にする情報も含むことができる。必要に応じて、単一のランダム・アクセス・メッセージによって端末２０の識別と認証の両方を行うこともでき、これは端末２０によって作成されるメッセージの交換数を大幅に制限することを可能にし、したがって端末２０の電力消費の制限にも寄与する。
【００７５】
したがって、モビリティを管理するための方法５０の場合、このように、永続的物理ランダム・アクセス・チャネルで端末２０によって発信された単一のランダム・アクセス・メッセージによってセルラー・アクセス・ネットワーク３１に対する端末２０の位置情報を更新することが可能である。比較として、先行技術による「位置更新」手順の場合には、位置情報を更新するために、セルラー・アクセス・ネットワーク３１のダウンロードリンクとアップロードリンクとで合計１０個のメッセージを交換することが必要なときもある。
【００７６】
この更新はさらに、端末２０とセルラー・アクセス・ネットワーク３１との間の対話なしに実行され、したがって、前記端末２０のセルラー通信モジュール２１を待機モードに保って実行できることにさらに留意されたい。したがって、モビリティを管理するための方法５０を、セルラー・アクセス・ネットワーク３１に対する端末２０のモビリティの管理を改善すると同時に電力消費の点でもその利点から利益を得るために、特に、上述したＰＳＭの手法に対して補完的に実施することができる。端末２０は、このために、ランダムアクセス通信モジュール２２（例えば、ＵＮＢ）を使用し、その電力消費は有利にはセルラー通信モジュール２１の電力消費よりも少ない。
【００７７】
好ましくは、端末２０による発信のステップ５１は、前記端末２０の判断で、端末２０によって評価された所定の発信基準が検証されたときにのみ実行される。言い換えれば、位置情報の更新を制御し、ランダム・アクセス・メッセージをいつ発信するかを決定するのは端末２０である。端末２０は、セルラー位置サーバに格納された位置情報の更新と関連付けられる電力消費を制御する。
【００７８】
様々なタイプの発信基準を検討することができ、特定の発信基準を選択することは、実施態様の一変形を構成するにすぎない。例えば、以下の場合に発信基準を検証済みと見なすことができる。
先行するランダム・アクセス・メッセージの発信後に事前定義された発信期間が失効した場合、および／または
例えば加速度計や任意の他の移動検出手段を装備した端末２０が、端末２０が移動したことなどを検出した場合。
【００７９】
図４に、モビリティを管理するための方法５０の好ましい実施方法の主要なステップを概略的に表す。さらに、図３を参照して説明したステップ、モビリティを管理するための方法５０は、セルラー位置サーバによる、更新された位置情報を、前記セルラー位置サーバによって格納された位置情報と比較することによる端末２０の事前定義されたモビリティ基準の評価のステップ５５を含む。モビリティ基準が検証されない場合（図４の参照番号５５０）、モビリティを管理するための方法５０を停止することができる。反対に（図４の参照番号５５１）、モビリティを管理するための方法５０は以下のステップを含む。
５６  セルラー・アクセス・ネットワーク３１に対する端末２０の現在位置に使用されるべきセルラー・アクセス・ネットワーク３１にアクセスするための新しいパラメータの、端末２０に送信される、発信のステップ、
５７  端末２０による、受信されたセルラー・アクセス・ネットワークにアクセスするための前記パラメータの格納のステップ。
【００８０】
モビリティ基準の評価は、主に、端末２０が、前記端末２０が接続された最後のセルラー基地局３１０とは異なるセルラー基地局３１０の地理的エリアＺｇ１内に端末２０が移動したかどうかを判断することを目的とする。様々なタイプのモビリティ基準を検討することができ、特定のモビリティ基準を選択することは、実施態様の一変形を構成するにすぎない。例えば、以下の場合にモビリティ基準を検証済みと見なすことができる。
更新された位置情報が、セルラー位置サーバに事前に格納された位置情報と異なり次第、または
端末２０が、前記端末２０が接続された最後のセルラー基地局３１０の近くにはないセルラー基地局３１０の地理的エリア内に移動した場合。
【００８１】
端末２０に送信された、発信されたセルラー・アクセス・ネットワーク３１へのアクセスのパラメータは、前記端末２０がそこから移動した地理的エリアＺｇ１内のセルラー基地局３１０への前記端末２０の接続を加速することを可能にする、特に、セルラー通信モジュール２１が移動中に待機モードにあった場合に前記端末２０のセルラー通信モジュール２１を覚醒させる任意のタイプの情報に対応する。例えば、アクセスパラメータは以下を含むことができる。
端末２０の更新された位置情報、および／または
端末２０がそこから移動した地理的エリアＺｇ１内のセルラー基地局３１０の物理拡散チャネルによって使用される無線リソースに関する情報項目、
物理拡散チャネルで拡散された、特に、物理ランダム・アクセス・チャネルＰＲＡＣＨ上のアクセスを制御することを目的とする、１つまたは複数の情報項目（例えば、物理ランダム・アクセス・チャネルＰＲＡＣＨで発信する前に検証されるべき最小受信電力レベルおよび／または前記物理ランダム・アクセス・チャネルＰＲＡＣＨで遵守されるべき最大発信電力レベルなど）など。
【００８２】
アクセスパラメータは、ランダム・アクセス・ネットワーク３２および／またはセルラー・アクセス・ネットワーク３１によって発信される。例えば、アクセスパラメータによって表される情報の量が少ない場合には、ランダムアクセス基地局３２０がその情報を発信し、端末２０に送信することができる。反対に、それらは好ましくは、セルラー基地局３１０によって発信される。必要に応じて、端末２０のセルラー通信モジュール２１が待機モードにある場合、ランダムアクセス基地局３２０によって、前記端末２０に送信される覚醒メッセージを発信することが可能である。端末２０は、覚醒メッセージを受信すると、セルラー通信モジュール２１をアクティブ化して、セルラー・アクセス・ネットワーク３１のセルラー基地局３１０を介してアクセスパラメータを受信する。
【００８３】
より一般的には、以上で検討された実施方法および実施形態は非限定的な例として説明されており、ゆえに他の変形形態が重要であることに留意されたい。
【００８４】
特に、本発明は、主にランダムアクセス基地局３２０が端末２０のモビリティを管理するために使用される場合を検討することにより説明されている。しかしながら、上述したように、他の用途も考えられる。特に、端末２０による永続的物理ランダム・アクセス・チャネル上でのランダム・アクセス・メッセージの発信を、データがそこに伝送され、前記端末２０に送信されることが予期される場合に、セルラー・アクセス・ネットワーク３１および／またはセルラー・ネットワーク・コア３０に要求するために使用することができる。必要に応じて、端末２０のセルラー通信モジュール２１が待機モードにある場合、ランダムアクセス基地局３２０によって、前記端末２０に送信される覚醒メッセージを発信することが可能である。端末２０は、覚醒メッセージを受信すると、セルラー通信モジュール２１をアクティブ化して前記データを受信する。ランダム・アクセス・ネットワーク３２による覚醒メッセージの発信は、この場合、セルラー・アクセス・ネットワーク３１の物理「ページング」チャネルに置き換わるので、上述したｅＤＲＸの手法に関して、端末２０は、ランダム・アクセス・ネットワーク３２に送信された、ランダム・アクセス・メッセージの発信による着信呼の確立のための遅延を制御することができる。
【００８５】
さらに、本発明は、ランダムアクセス基地局３２０がセルラー・アクセス・ネットワーク３１とは別のランダム・アクセス・ネットワーク３２に属する場合を検討することにより説明されている。他の例によれば、セルラー基地局３１０の全部または一部がランダムアクセス基地局３２０でもあることを排除するものはない。したがって、ランダムアクセス基地局３２０でもあるセルラー基地局３１０は、一時的物理ランダム・アクセス・チャネルと永続的物理ランダム・アクセス・チャネルの両方を含む。
【００８６】
また、本発明は、地理的領域Ｒｇがセルラー・アクセス・ネットワーク３１によってサービスを提供される地理的領域全体に対応することを検討することにより説明されている。しかしながら、本発明は、一時的物理ランダム・アクセス・チャネルが異なる無線リソースを使用する複数の地理的エリアによって形成された有効エリアの任意の地理的領域に一般的に適用可能である。
【図１】
2020517156.tif 000003
【図２】
2020517156.tif 000004
【図３】
2020517156.tif 000005
【図４】
2020517156.tif 000006
【国際調査報告】
2020517156.tif 000007
2020517156.tif 000008
2020517156.tif 000009
2020517156.tif 000010